(57)【要約】【課題】鉄筋を一段で配設する場合には単体で使用することが可能であり、鉄筋を二段で配設する場合には２つのスペーサーを組み合わせて上下筋スペーサーとして使用することが可能な鉄筋用スペーサーの提供。【解決手段】複数の脚部と、隣り合う脚部同士を接合する上辺部と、脚部の下端に着脱自在なキャップ部とを備えた鉄筋用スペーサーであって、前記脚部の上部には、上筋用の鉄筋用スペーサーの脚部を接続するための接続手段を備え、該接続手段により同種あるいは別種の鉄筋用スペーサーを上方に接続し、上下筋用として二段重ねで使用可能な鉄筋用スペーサー。【選択図】  図１
0003167995.tif 000002
【実用新案登録請求の範囲】
【請求項１】
複数の脚部と、隣り合う脚部同士を接合する上辺部と、脚部の下端に着脱自在なキャップ部とを備えた鉄筋用スペーサーであって、前記脚部の上部には、上筋用の鉄筋用スペーサーの脚部を接続するための接続手段を備え、該接続手段により同種あるいは別種の鉄筋用スペーサーを上方に接続し、上下筋用として二段重ねで使用可能な鉄筋用スペーサー。
【請求項２】
前記接続手段が、前記脚部の上端より軸方向に穿孔された挿入孔を形成し、該挿入孔に同種あるいは別種の鉄筋用スペーサーのキャップ部を取り付けていない脚部の下端を嵌合することで接続されるものである請求項１に記載の鉄筋用スペーサー。
【請求項３】
前記接続手段が、前記脚部の上端に上方と下方に向け筒状に開口する接続部材を取り付け、該接続部材の上端開口に同種あるいは別種の鉄筋用スペーサーのキャップ部を取り付けていない脚部の下端を嵌合することで接続されるものである請求項１に記載の鉄筋用スペーサー。
【請求項４】
前記脚部が４本からなり、前記上辺部の対向する位置関係にあるいずれかの一組は直線状に形成され、他の対向する位置関係の一組はその中央部分に凹部を備えたことを特徴とする請求項１ないし請求項３のいずれか１項に記載の鉄筋用スペーサー。
【請求項５】
前記上辺部の下方に、更に隣り合う脚部同士を接合する下辺部を備えたことを特徴とする請求項１ないし請求項４のいずれか１項に記載の鉄筋用スペーサー。
【請求項６】
前記鉄筋用スペーサーが平面視で略多角形に形成され、それぞれの角部に脚部を備えたことを特徴とする請求項１ないし請求項５のいずれか１項に記載の鉄筋用スペーサー。
【請求項７】
前記鉄筋用スペーサーが平面視で略円形に形成されていることを特徴とする請求項１ないし請求項５のいずれか１項に記載の鉄筋用スペーサー。
【考案の詳細な説明】
【技術分野】
【０００１】
本考案は、コンクリート部材中に埋設される補強用鉄筋を、コンクリート部材形成時の型枠に支持する鉄筋配設用スペーサーに関するものである。
【背景技術】
【０００２】
従来、補強用鉄筋を上下二段に配設する場合、上下筋同士の距離および鉄筋と型枠との距離を確保するために、ひとつのスペーサーで同時に鉄筋を留めるいわゆる上下筋スペーサーが使用されている。
【０００３】
この種のものとして、従来、そのベースにモルタルブロックやプラスチックなどの合成樹脂を使用した上下筋スペーサーが知られている（特許文献１）。
【０００４】
しかし、スペーサーのベース部分にモルタルブロックや合成樹脂を使用したものは、打設したコンクリートとの一体性（付着）が十分ではない場合があり、接触部分で剥離やヒビ割れなどが生じて強度が不足することがある。また、ベースが合成樹脂のものは、ベースとその下部の型枠との間隔が狭くなり、その範囲においてコンクリートが薄くなるため、強度的に好ましくない。
【０００５】
また、一段で配筋する場合も上下筋用のスペーサーを兼用して使用すると部材がコスト高になり、一段配筋と二段配筋に応じて一段用スペーサーと上下筋スペーサーを準備し、その都度使い分けるのは煩雑である。
【先行技術文献】
【特許文献】
【０００６】
【特許文献１】特開２０１１−１２５３０号
【考案の概要】
【考案が解決しようとする課題】
【０００７】
従って、本考案は、鉄筋を一段で配設する場合には単体で使用可能であり、鉄筋を二段で配設する場合には、本考案に係る２つのスペーサーを組み合わせて上下筋スペーサーとして使用することが可能な鉄筋用スペーサーを提供することをその課題とするものである。
【課題を解決するための手段】
【０００８】
本考案は、上記課題を解決するものであり、複数の脚部と、隣り合う脚部同士を接合する上辺部と、脚部の下端に着脱自在なキャップ部とを備えた鉄筋用スペーサーであって、前記脚部の上部には、上筋用の鉄筋用スペーサーの脚部を接続するための接続手段を備え、該接続手段により同種あるいは別種の鉄筋用スペーサーを上方に接続し、上下筋用として二段重ねで使用可能な鉄筋用スペーサーである。
【考案の効果】
【０００９】
本考案の鉄筋用スペーサーは、モルタルブロックや合成樹脂を使用したベース部を有しておらず、複数の脚部により鉄筋を支持する構造のため、脚部の間でコンクリートがスペーサーと一体となって固化し、周囲のコンクリートの強度を向上させることができる。
【００１０】
さらに、本考案の鉄筋用スペーサーは、鉄筋を一段で配設する場合には単体で一段用のスペーサーとして使用することが可能であり、鉄筋を二段で配設する場合には２つの本考案のスペーサーを二段重ねに接続して上下筋スペーサーとして使用することが可能である。
【図面の簡単な説明】
【００１１】
【図１】本考案に係る鉄筋用スペーサーの斜視図。
【図２】本考案に係る鉄筋用スペーサーを鉄筋の一段組に使用した状態の斜視図。
【図３】本考案に係る鉄筋用スペーサーを鉄筋の二段組に使用した状態の斜視図。
【図４】本考案に係る鉄筋用スペーサーの異なる実施態様の正面図。
【図５】本考案に係る鉄筋用スペーサーの異なる実施態様の平面図。
【図６】本考案に係る鉄筋用スペーサーの異なる実施態様の平面図。
【図７】本考案に係る鉄筋用スペーサーの異なる実施態様の斜視図。
【図８】本考案に係る鉄筋用スペーサーの図７の実施態様のものを二段に接続した状態の正面図。
【図９】本考案に係る鉄筋用スペーサーに取り付け可能な上筋用スペーサーの斜視図。
【考案を実施するための形態】
【００１２】
以下、本考案の鉄筋用スペーサーの一実施態様を、図面に基づいて具体的に説明する。なお、本考案はこれら実施態様に何ら制約されるものではない。
【００１３】
図１は本考案に係る鉄筋用スペーサーの斜視図である。図中、１は鉄筋用スペーサー、１１は上脚部、１２は上辺部、１３は上辺部、１４は下脚部、１５は挿入孔、１６はキャップ部、１３１は凹部をそれぞれ示す。
【００１４】
図に示すように、本考案にかかる鉄筋用スペーサー１は、４本の脚部を有し、隣り合う脚部同士は４本の上辺部１２、１３で接続されている。脚部の構成は、上脚部１１と、上脚部１１の下端より下方に連設された下脚部１４からなり、上脚部１１に対して下脚部１４はその外径が小さくなるように形成されている。更に、上脚部１１の上端には、挿入孔１５が上脚部１１の軸方向に穿孔されて形成されている。これらの上脚部１１、下脚部１４、上辺部１２、１３の材質は、鋼線などの金属、プラスチックなどのど合成樹脂等を使用することが可能であるが、コンクリートとの付着性、強度やコストなどの面から鋼線が好ましい。
【００１５】
下脚部１４の下部には、下脚部１４の下端を覆うようにキャップ部１６が着脱自在に取り付けられている。かかるキャップ部１６はプラスチックなどの合成樹脂で形成され、型枠に接地する下脚部１４の下端からの錆を防ぐ効果がある。
【００１６】
上辺部１２、１３は、ともに上脚部１１の上端に接合されており、上辺部１２が直線状に形成されているのに対し、上辺部１３はその中央部分が下方に湾曲して凹部１３１を形成している。このように、上辺部１３の中央部分に凹部１３１を設けることで、鉄筋をこの凹部１３１に安定的に載置することができる。なお、本実施態様では、上辺部１３にのみ凹部が設けられているが、かかる凹部を更に上辺部１２に設けてもよく、その場合、上辺部１２と上辺部１３の高さを段違いにすることで、結束した鉄筋を安定して載置することが可能となる。更に、かかる凹部を設けることなく、上辺部１２と上辺部１３をともに直線状に形成し、それらの高さを段違いにしても良い。
【００１７】
以下に、本考案にかかる鉄筋用スペーサーの使用例について説明する。まず、本考案にかかる鉄筋用スペーサー１を用いて鉄筋を一段で配設する場合、図２のように、上辺部１３の凹部１３１に１本の鉄筋Ｘ２を載置し、その上から鉄筋Ｘ１を直交するように載置して、両者の交点において結束線Ｙ１により結束すればよい。このとき、鉄筋Ｘ１と鉄筋２の交点は鉄筋用スペーサー１の中心に位置するため、加重に対するバランスが安定する。
【００１８】
本考案にかかる鉄筋用スペーサー１を用いて鉄筋を二段で配設する場合、図３に示すように、２つの鉄筋用スペーサー１を二段重ねに接続することで上下筋スペーサーとして使用することができる。具体的な接続、配設方法は以下の通りである。まず、下筋の配設は、上記一段の配設と同様にすればよい。次に、あらかじめ下脚部１４からキャップ部１６を取り外した状態の上筋用の鉄筋用スペーサー１を、下筋用の鉄筋用スペーサー１の上に設置する。具体的には、キャップ部１６を取り外した上筋用鉄筋用スペーサー１の下脚部１４下端を、それぞれ下筋用鉄筋用スペーサー１の挿入孔１５内に挿入して嵌合する。そして、上筋用鉄筋用スペーサー１上に、下筋用鉄筋用スペーサー１のときと同様の手順により、鉄筋Ｘ３、Ｘ４を載置して結束線Ｙ２により結束すれば上筋の配設が完了する。
【００１９】
以上の使用例は、床スラブにおける鉄筋の配設を想定しているが、本考案の鉄筋用スペーサーはこれにとどまらず、タテ壁などにおける鉄筋配設の際も、鉄筋と本考案の鉄筋用スペーサーを互いに結束すれば使用することが可能である。
【００２０】
以上のとおり、本考案の鉄筋用スペーサーは、モルタルや合成樹脂のベース部を用いずに複数の脚部で鉄筋を支持するため、コンクリートとの一体性が高く、強度の向上が図れる。また、鉄筋の一段組の場合は、本考案の鉄筋用スペーサーをそのまま使用すればよく、二段組の場合は、本考案の鉄筋用スペーサーを上下に重ねて設置することで上下筋スペーサーとしても使用することが可能となる。また、本考案の鉄筋用スペーサーで脚部を４本以上とした場合、スペーサー上で組まれる鉄筋がコンクリートに対し水平方向に強度を与えるのに加え、脚部そのものも縦方向に強度をくわえることになるため、全体の強度の向上を図ることができる。
【００２１】
なお、図４に示すように、上辺部１２、１３の下方に隣り合う脚部同士を接合する下辺部１７を設けてもよい。このように下辺部１７を設けることで、鉄筋の加重に対する強度を向上することができる。この実施態様では、下辺部１７は緩やかなアーチ状に形成されているが、これを直線状としてもよく、更に、上辺部１２と上脚部１１との接点と、下辺部１７と上脚部１１との接点を対角に結んで、上辺部と下辺部と合わせてＺ字を形成するような補助辺部（図示せず）を追加してもよい。
【００２２】
さらに、第一の実施態様の鉄筋用スペーサー１は、４本の上辺部１２、１３が平面視で略長方形に形成されているが、図５に示すように、上辺部１８の形状を円形とし、任意の部分に脚部１１を設けてもよい。また、脚部は４本に限らず、たとえば図６に示すように平面視で六角形になるように形成し、それぞれの角部に脚部１１を設けて計６本としてもよい。
【００２３】
図７は、本考案に係る鉄筋用スペーサーの異なる実施態様の斜視図である。本実施態様のものは、４本の脚部２１を有し、隣り合う脚部同士は４本の上辺部２２、２３で接続されている。上辺部２２、２３と脚部２１との接合部分は、脚部２１の上端部２４よりやや下方に位置している。そして、上辺部２２は、かかる接合部分より斜め上方に傾斜し、その後水平方向に延伸し、正面視で略台形になるように形成されている。一方、上辺部２３は水平方向へ直線状に形成されている。また、４本の脚部２１は１本の棒状であり、その下端には、合成樹脂製のキャップ部２５が着脱自在に取り付けられている。なお、上辺部２２、２３はいずれも鉄筋を載置する中央部分は直線状に形成されているが、鉄筋を安定載置するために、上辺部２２、２３のいずれか一方、あるいはその両方に凹部を設けてもよい。更に、上辺部２２、２３の下方に図４で示したような補強用の下辺部を設けてもよく、また、上辺部と下辺部と合わせてＺ字を形成するような補助辺部（図示せず）を追加してもよい。
【００２４】
本実施態様の鉄筋用スペーサー２を用いて鉄筋を一段で配設する方法は、第１の実施態様の鉄筋用スペーサー１と同様に、上辺部２２、２３に鉄筋を載置して、中心の交点を結束すればよい。本実施態様の鉄筋用スペーサー２を用いて鉄筋を二段で配設する場合は、図８に示すように、接続部材２６を用いて、上筋用と下筋用の鉄筋用スペーサー２を接続する。具体的には、接続部材２６は上方と下方に向け筒状に開口しており、それぞれの開口には、キャップ部２５を取り付けていない脚部２１の下端と、上端部２４を挿入し嵌合することができるよう形成されている。よって、まず、下段の鉄筋を配設した後、下筋用鉄筋用スペーサー２の上端部２４を接続部材２６の下部開口に挿入して取り付け、次に、上筋用鉄筋用スペーサー２の脚部２１の下端を接続部材２６の上部開口に挿入して接続する。そして、上筋用鉄筋用スペーサー２上に鉄筋を配設すれば、鉄筋の二段組みが完了する。
【００２５】
なお、既に説明した実施態様のものは、いずれも同種の鉄筋用スペーサーを上下二段に取り付けるものであるが、これに限らず、例えば、別種の上筋用スペーサーとして、図９に示すような簡易なタイプのものを、汎用的に使用しても良い。すなわち、この鉄筋用スペーサー３は、図１、図４、図５、図６の態様のものに共通して上筋用スペーサーとして取り付け可能であり、また、接続部材２６を使用することにより、図７の態様のものにも取り付け可能である。このように、上筋用スペーサーを簡単な構成のもので汎用することにより、部材コストをより抑えることができるため好ましい。この種の上筋用スペーサー３は、先に説明したスペーサー１、スペーサー２と同様、脚部と上辺部とを別々に形成し、あとから溶接等で取りつけても良いが、図９のように、１本の鋼線をコの字状に折り曲げ脚部３１と上辺部３３とを一連に形成し、それらの間を上辺部３３で繋いで形成することにより、溶接等の工程が減るため好ましい。
【符号の説明】
【００２６】
１……スペーサー
２……スペーサー
３……スペーサー
１１……上脚部
１２……上辺部
１３……上辺部
１４……下脚部
１５……挿入孔
１６……キャップ部
１７……下辺部
１８……上辺部
２１……脚部
２２……上辺部
２３……上辺部
２４……上端部
２５……キャップ部
２６……接続部材
３１……脚部
３２……上辺部
３３……上辺部
１３１……凹部
Ｘ１……鉄筋
Ｘ２……鉄筋
Ｘ３……鉄筋
Ｘ４……鉄筋
Ｙ１……結束線
Ｙ２……結束線
【図１】
0003167995.tif 000003
【図２】
0003167995.tif 000004
【図３】
0003167995.tif 000005
【図４】
0003167995.tif 000006
【図５】
0003167995.tif 000007
【図６】
0003167995.tif 000008
【図７】
0003167995.tif 000009
【図８】
0003167995.tif 000010
【図９】
0003167995.tif 000011